(57)【特許請求の範囲】
【請求項１】
複数の商品を積重ね収納する商品収納コラムを前後方向で二列形成してあるコラムユニットと、商品収納コラムを前後方向で三列形成してあるコラムユニットとの二種類を製作し、庫内に形成される前後方向でのコラム総数に応じて、両種のコラムユニットの複数個を適宜組合せて庫内に組付けてある自動販売機であって、
商品投入口から投入された商品を最前列の商品収納コラムの上部を通過して二列目の商品収納コラムにまで滑降供給可能な長さの傾斜導入通路を備えた第１商品導入ガイドと、商品投入口から投入された商品を最前列及び二列目の商品収納コラムの上部を通過して三列目の商品収納コラムにまで滑降供給可能な長さの傾斜導入通路を備えた第２商品導入ガイドとの二種類を製作するとともに、第１商品導入ガイド及び第２商品導入ガイドを、庫内に形成される前後方向でのコラム総数に基づいた組み合わせで各コラムユニットの上部に装着し、更に、庫内に同種又は異種の複数のコラムユニットが前後方向から組付けられたとき、前後で隣接する同種又は異種の両商品導入ガイドの傾斜導入通路同士が連続又は略連続する配置に構成してある自動販売機。
【請求項２】
前記各商品導入ガイドは、商品を滑降案内するガイド底板と、それの少なくとも左右一側縁部に形成されたガイド側板とから構成されているとともに、ガイド側板の前端部には、それの前列側に隣接位置する商品導入ガイドのガイド側板の後端部が重合状態で前方から入り込み可能な段押し部が、左右方向外方に膨出形成されている請求項１記載の自動販売機。
【発明の詳細な説明】
【０００１】
【発明の属する技術分野】
本発明は、複数の商品を積重ね収納する商品収納コラムを前後方向で二列形成してあるコラムユニットと、複数の商品を積重ね収納する商品収納コラムを前後方向で三列形成してあるコラムユニットとの二種類を製作し、庫内に形成される前後方向でのコラム総数に応じて、両種コラムユニットの一つを単独で、若しくは、複数個を適宜組合せて庫内に組付けてある自動販売機に関する。
【０００２】
【従来の技術】
従来の自動販売機では、例えば、図１４に示すように、庫内に、商品収納コラムＣを前後方向で二列形成してある第１コラムユニットＵ１と、商品収納コラムＣを前後方向で三列形成してある第２コラムユニットＵ２とを前後方向から組付けたのち、各商品投入口１からそれぞれに対応する商品収納コラムＣまでの総傾斜導入通路長さＬ１〜Ｌ４に対応した長さを備えた４種類の商品導入ガイド５０〜５３を製作し、これら各商品導入ガイド５０〜５３を、各コラムユニットＵ１，Ｕ２の商品収納搬送通路Ｓを形成する左右の側板２の上部に架設していた。
【０００３】
【発明が解決しようとする課題】
この種の自動販売機においては、商品収納コラムＣを前後方向で二列形成してあるコラムユニットＵ１と、商品収納コラムＣを前後方向で三列形成してあるコラムユニットＵ２との一つを単独で、若しくは、複数個を適宜組合せて庫内に組付けることにより、前後方向でのコラム総数が異なる複数種類の自動販売機を簡単に現出することができるとともに、コラム総数単位でコラムユニットが構成されている場合に比して、庫内へのコラムユニットＵ１，Ｕ２の組付け作業を能率良く、容易に行なうことができるものの、まだ次の点で改良の余地がある。
【０００４】
即ち、従来の自動販売機では、各商品投入口１からそれぞれに対応する商品収納コラムＣまでの複数種類の総傾斜導入通路長さＬ１〜Ｌ４に対応した長さを備えた複数種類の商品導入ガイド５０〜５３を製作する必要があるため、前後方向でのコラム総数の増加に連れて商品導入ガイド５０〜５３の種類が多くなり、その結果、商品導入ガイド５０〜５３を製作する金型数も増加し、製造コストが高騰化する。
【０００５】
しかも、総傾斜導入通路長さＬ３，Ｌ４がコラムユニットＵ１，Ｕ２の前後幅よりも長い商品導入ガイド５２，５３の場合では、複数のコラムユニットＵ１，Ｕ２の左右側板２に亘って取付けられているため、保守点検作業時において、庫内に組付けられたコラムユニットＵ１，Ｕ２を引出す場合、或いは、引出されたコラムユニットＵ１，Ｕ２を再収納する場合、商品導入ガイド５２，５３の脱着作業に多くの手間を要していた。
【０００６】
本発明は、上述の実状に鑑みて為されたものであって、その主たる課題は、各商品投入口からそれぞれに対応する商品収納コラムまでの長さの異なる複数種類の傾斜導入通路を、二種類の商品導入ガイドの組合せをもって経済的に製作することができ、しかも、庫内に組付けられたコラムユニットを引出す場合、或いは、引出されたコラムユニットを再収納する場合でも、複数の商品導入ガイドを一々脱着することなく能率良く容易に行なうことができる自動販売機を提供する点にある。
【０００７】
【課題を解決するための手段】
本発明の請求項１の特徴構成は、複数の商品を積重ね収納する商品収納コラムを前後方向で二列形成してあるコラムユニットと、商品収納コラムを前後方向で三列形成してあるコラムユニットとの二種類を製作し、庫内に形成される前後方向でのコラム総数に応じて、両種のコラムユニットの複数個を適宜組合せて庫内に組付けてある自動販売機であって、
商品投入口から投入された商品を最前列の商品収納コラムの上部を通過して二列目の商品収納コラムにまで滑降供給可能な長さの傾斜導入通路を備えた第１商品導入ガイドと、商品投入口から投入された商品を最前列及び二列目の商品収納コラムの上部を通過して三列目の商品収納コラムにまで滑降供給可能な長さの傾斜導入通路を備えた第２商品導入ガイドとの二種類を製作するとともに、第１商品導入ガイド及び第２商品導入ガイドを、庫内に形成される前後方向でのコラム総数に基づいた組み合わせで各コラムユニットの上部に装着し、更に、庫内に同種又は異種の複数のコラムユニットが前後方向から組付けられたとき、前後で隣接する同種又は異種の両商品導入ガイドの傾斜導入通路同士が連続又は略連続する配置に構成した点にある。
【００１０】
図１２に示すように、商品収納コラムＣを前後方向で二列形成してある第１種のコラムユニットＵ１の二個を庫内に前後方向から組付けてなる四連タイプの自動販売機を製作する場合には、前列側の第１種コラムユニットＵ１の上部に、二個の第２商品導入ガイド５と一個の第１商品導入ガイド４とを装着するとともに、後列側の第１種コラムユニットＵ１の上部には、一個の第１商品導入ガイド４を装着する。
【００１１】
そして、両第１種コラムユニットＵ１が庫内に前後方向から組付けられたとき、前列側の最上段に位置する第２商品導入ガイド５の傾斜導入通路Ｗ２と、後列側に位置する第１商品導入ガイド４の傾斜導入通路Ｗ１とが連続又は略連続するため、前列側の第１種コラムユニットＵ１の最上段の商品投入口１から投入された商品は、最前列から三列目までの商品収納コラムＣの上部を通過して四列目の商品収納コラムＣに滑降供給される。
【００１２】
また、前列側の第１種コラムユニットＵ１の上から二段目の商品投入口１に投入された商品は、第２商品導入ガイド５の傾斜導入通路Ｗ２を通して最前列から三列目の商品収納コラムＣに滑降供給される。
【００１３】
図１〜図３に示すように、第１種コラムユニットＵ１と第２種コラムユニットＵ２との二個を庫内に前後方向から組付けてなる五連タイプの自動販売機を製作する場合には、前列側の第１種コラムユニットＵ１の上部に、三個の第２商品導入ガイド５と一個の第１商品導入ガイド４とを装着するとともに、後列側の第２種コラムユニットＵ２の上部には、一個の第２商品導入ガイド５と一個の第１商品導入ガイド４とを装着する。
【００１４】
そして、第１種コラムユニットＵ１と第２種コラムユニットＵ２とが庫内に前後方向から組付けられたとき、前列側の最上段に位置する第２商品導入ガイド５の傾斜導入通路Ｗ２と、後列側の上段に位置する第２商品導入ガイド５の傾斜導入通路Ｗ２とが連続又は略連続するため、前列側の第１種コラムユニットＵ１の最上段の商品投入口１から投入された商品は、最前列から四列目までの商品収納コラムＣの上部を通過して五列目の商品収納コラムＣに滑降供給されるとともに、前列側の上から二段目に位置する第２商品導入ガイド５の傾斜導入通路Ｗ２と、後列側の下段に位置する第１商品導入ガイド４の傾斜導入通路Ｗ１とが連続又は略連続するため、前列側の第１種コラムユニットＵ１の上から二段目の商品投入口１に投入された商品は、最前列から三列目までの商品収納コラムＣの上部を通過して四列目の商品収納コラムＣに滑降供給される。
【００１５】
図１３に示すように、三個の第１種コラムユニットＵ１を庫内に前後方向から組付けてなる六連タイプの自動販売機を製作する場合には、前列側の第１種コラムユニットＵ１の上部に、四個の第２商品導入ガイド５と一個の第１商品導入ガイド４とを装着するとともに、中央列側の第１種コラムユニットＵ１の上部には、二個の第２商品導入ガイド５と一個の第１商品導入ガイド４とを装着し、更に、後列側の第１種コラムユニットＵ１の上部には、一個の第１商品導入ガイド４を装着する。
【００１６】
そして、三個の第１種コラムユニットＵ１が庫内に前後方向から組付けられたとき、前列側の最上段に位置する第２商品導入ガイド５の傾斜導入通路Ｗ２と、中央列側の最上段に位置する第２商品導入ガイド５の傾斜導入通路Ｗ２、及び、後列側に位置する第１商品導入ガイド４の傾斜導入通路Ｗ１とが連続又は略連続するため、前列側の第１種コラムユニットＵ１の最上段の商品投入口１から投入された商品は、最前列から五列目までの商品収納コラムＣの上部を通過して六列目の商品収納コラムＣに滑降供給される。
【００１７】
また、前列側の上から二段目に位置する第２商品導入ガイド５の傾斜導入通路Ｗ２と、中央列側の上から二段目に位置する第２商品導入ガイド５の傾斜導入通路Ｗ２とが連続又は略連続するため、前列側の第１種コラムユニットＵ１の上から二段目の商品投入口１に投入された商品は、最前列から四列目までの商品収納コラムＣの上部を通過して五列目の商品収納コラムＣに滑降供給される。
【００１８】
更に、前列側の上から三段目に位置する第２商品導入ガイド５の傾斜導入通路Ｗ２と、中央列側の上から三段目に位置する第１商品導入ガイド４の傾斜導入通路Ｗ１とが連続又は略連続するため、前列側の第１種コラムユニットＵ１の上から三段目の商品投入口１に投入された商品は、最前列から三列目までの商品収納コラムＣの上部を通過して四列目の商品収納コラムＣに滑降供給される。
【００１９】
従って、二種類の商品導入ガイドの組合せをもって、各商品投入口からそれぞれに対応する商品収納コラムまでの長さの異なる複数種類の傾斜導入通路を形成することができるから、商品導入ガイドを製作するための金型が少なくて済み、製造コストの低廉化を図ることができる。しかも、二種類の商品導入ガイドを、庫内に形成される前後方向でのコラム総数に基づいた組み合わせで各コラムユニットの上部に予め装着することができるから、庫内に組付けられたコラムユニットを引出す場合、或いは、引出されたコラムユニットを再収納する場合でも、従来のように商品導入ガイドを一々脱着する必要がなく、コラムユニットの引出作業及び再収納作業を能率良く容易に行なうことができる。
【００２０】
本発明では、前記各商品導入ガイドの左右両側縁の前後複数箇所に、コラムユニットの収納搬送通路を形成する左右の両側板に取付けるための取付け片が一体形成されていてもよい。
【００２１】
上記構成によれば、コラムユニットの収納搬送通路を形成する左右の両側板に商品導入ガイドを取付けるとき、この商品導入ガイドの左右両側縁の前後複数箇所に一体形成された取付け片で取付けることができるから、取付け部品点数の削減による製造コストの低廉化と構造の簡素化とを図ることができる。
【００２２】
本発明の請求項２による自動販売機の特徴構成は、前記各商品導入ガイドが、商品を滑降案内するガイド底板と、それの少なくとも左右一側縁部に形成されたガイド側板とから構成されているとともに、ガイド側板の前端部には、それの前列側に隣接位置する商品導入ガイドのガイド側板の後端部が重合状態で前方から入り込み可能な段押し部が、左右方向外方に膨出形成されている点にある。
【００２３】
上記特徴構成によれば、庫内に複数のコラムユニットが前後方向から組付けられたとき、後列側に位置するガイド側板の前端部に形成された段押し部に対して、前列側に位置するガイド側板の後端部が重合状態で前方から入り込むことにより、両ガイド側板が前後方向で連続又は略連続するから、商品を確実、スムースに滑降案内することができる。
【００２４】
【発明の実施の形態】
〔第１実施形態〕
図１〜図１３は、断熱壁で囲繞されるキャビネットの庫内に吊下げ状態で取付けられる自動販売機の商品収納払出装置を示し、飲料缶や飲料瓶、ペットボトル等の複数の商品を下方に払い出し可能な状態でほぼ上下方向に沿って積重ね収納する商品収納コラムＣを前後方向で二列形成してあるコラムユニットＵ１と、複数の商品を下方に払い出し可能な状態でほぼ上下方向に沿って積重ね収納する商品収納コラムＣを前後方向で三列形成してあるコラムユニットＵ２との二種類を製作して、庫内に形成される前後方向でのコラム総数に応じて、両種のコラムユニットＵ１，Ｕ２の一つを単独で、若しくは、複数個を適宜組合せて庫内に組付けてある。
【００２５】
前記第１種コラムユニットＵ１及び第２種コラムユニットＵ２の各上部には、前方に向って開口する複数の商品投入口１を現出可能な大きさの開口が形成されているとともに、各コラムユニットＵ１，Ｕ２の収納搬送通路Ｓの下部には、商品払出指令信号（販売指令信号）に基づいて最下端から二番目に位置する商品を受止めながら最下端に位置する商品を一つずつ払い出す商品払出機構Ａが設けられている。
【００２６】
前記各収納搬送通路Ｓは、図１〜図３に示すように、収納予定商品の最大長さよりも若干大きな間隔で固定連結された左右一対の側板２間に亘って、上下方向に沿って配設される多数の円弧板３を前後方向に間隔をおいて対向する状態で取付けることにより区画形成されているとともに、前後方向で対向する円弧板３同士の高さを互いに半ピッチずつ位置齟齬させることにより、各収納搬送通路Ｓが商品補充時の落下衝撃を緩和可能な蛇行状に構成されている。
【００２７】
そして、商品投入口１から投入された商品を最前列の商品収納コラムＣの上部を通過して二列目の商品収納コラムＣにまで滑降供給可能な長さの傾斜導入通路Ｗ１を備えた第１商品導入ガイド４と、商品投入口１から投入された商品を最前列及び二列目の商品収納コラムＣの上部を通過して三列目の商品収納コラムＣにまで滑降供給可能な長さの傾斜導入通路Ｗ２を備えた第２商品導入ガイド５との二種類を製作するとともに、第１商品導入ガイド４及び第２商品導入ガイド５を、庫内に形成される前後方向でのコラム総数に基づいた組み合わせで各コラムユニットＵ１，Ｕ２の上部に装着し、更に、庫内に同種又は異種の複数のコラムユニットＵ１，Ｕ２が前後方向から組付けられたとき、前後で隣接する同種又は異種の両商品導入ガイド４，５の傾斜導入通路Ｗ１，Ｗ２同士が連続又は略連続する配置に構成されている。
【００２８】
また、前記第１・第２商品導入ガイド４，５の傾斜導入通路Ｗ１，Ｗ２の入口のうち、庫内の最前列に位置する第１種コラムユニットＵ１又は第２種コラムユニットＵ２に組付けられる第１・第２商品導入ガイド４，５の傾斜導入通路Ｗ１，Ｗ２の入口が商品投入口１に構成されている。
【００２９】
前記各収納搬送通路Ｓ内には、これの通路幅を収納される商品の長さに応じて変更するべく、収納搬送通路Ｓの上端近くから下端部にまでに及ぶ長さを有する板金製の幅調整板７が配置されているとともに、前記幅調整板７を通路幅方向に平行又は略平行姿勢のまま移動案内するリンク機構Ｂが、各収納搬送通路Ｓに臨む一方の側板２と幅調整板７との上下二箇所に亘って枢支連結された二本の板金製の揺動リンク８と、幅調整板７の背面に沿う姿勢で揺動リンク８の先端部に亘って枢支連結された板金製の縦リンク９とから構成され、更に、前記各揺動リンク８と幅調整板７との連結部には、少なくとも揺動リンク８の揺動に伴う上下方向の変位代に相当する寸法又はそれよりも少し大きな寸法をもって両者７，８の相対上下移動を一定範囲内で許容する融通が設けられている。
【００３０】
前記第１商品導入ガイド４は、図４、図５に示すように、商品を滑降案内するガイド底板４Ａと、それの左右一側縁部に直角に折り曲げ形成されたガイド側板４Ｂ、及び、ガイド底板４Ａの左右他側縁部に直角に折り曲げ形成された高さの低い補助ガイド側板４Ｃとから構成されているとともに、ガイド底板４Ａの前端部には、左右方向に沿う円筒状の筒軸部４Ｄが折り曲げ形成され、更に、ガイド底板４Ａの後端部には、円弧板３を揺動自在に取付け可能なＵ字状の軸受け部４Ｅが折り曲げ形成されている。
【００３１】
前記第２商品導入ガイド５は、図４、図５に示すように、商品を滑降案内するガイド底板５Ａと、それの左右一側縁部に直角に折り曲げ形成されたガイド側板５Ｂ、及び、ガイド底板５Ａの左右他側縁部に直角に折り曲げ形成された高さの低い補助ガイド側板５Ｃとから構成されているとともに、ガイド底板５Ａの前端部には、左右方向に沿う円筒状の筒軸部５Ｄが折り曲げ形成され、更に、ガイド底板５Ａの後端部には、それの下面に重合する補強縁板部５Ｅが折り曲げ形成されている。
【００３２】
前記各第1 商品導入ガイド４の左右両側縁の前後複数箇所、つまり、各筒軸部４Ｄの両端部、及び、各ガイド底板４Ａの左右両側縁の後端部には、第１種コラムユニットＵ１の収納搬送通路Ｓを形成する左右の側板２に貫通形成された取付け孔２ａ、及び、第２種コラムユニットＵ２の収納搬送通路Ｓを形成する左右の側板２に貫通形成された取付け孔２ａに対して差込み自在で、かつ、差込み状態での加締め加工により、第1 商品導入ガイド４を左右両側板２に抜止め固定するための取付け片４ａ，４ｂが一体形成されている。
【００３３】
また、各第２商品導入ガイド５の左右両側縁の前後複数箇所、つまり、各筒軸部５Ｄの両端部、及び、各ガイド底板５Ａの左右両側縁の後端部には、第１種コラムユニットＵ１の収納搬送通路Ｓを形成する左右の側板２に貫通形成された取付け孔２ａ、及び、第２種コラムユニットＵ２の収納搬送通路Ｓを形成する左右の側板２に貫通形成された取付け孔２ａに対して差込み自在で、かつ、差込み状態での加締め加工により、第２商品導入ガイド５を左右両側板２に抜止め固定するための取付け片５ａ，５ｂが一体形成されている。
【００３４】
前記各ガイド側板４Ｂ，５Ｂの前端部には、図７〜図１０に示すように、それの前列側に隣接位置する第1 商品導入ガイド４のガイド側板４Ｂの後端部又は第２商品導入ガイド５のガイド側板５Ｂの後端部が重合状態で前方から入り込み可能で、かつ、入り込み状態では前後のガイド側板同士の内側面が前後方向に沿って一直線状になることを許容する段押し部４Ｆ，５Ｆが、左右方向外方に膨出形成されているとともに、各コラムユニットＵ１，Ｕ２の左右両側板２のうち、各ガイド側板４Ｂ，５Ｂと相対向する一方の側板２の各ガイド取付け位置相当箇所には、第1 商品導入ガイド４又は第２商品導入ガイド５を左右両側板２に取付けたとき、第1 商品導入ガイド４のガイド側板４Ｂの段押し部４Ｆ又は第２商品導入ガイド５のガイド側板５Ｂの段押し部５Ｆが入り込む孔状又は凹状の逃がし部２ｂが形成されている。
【００３５】
前記第1 ・第２商品導入ガイド４，５の傾斜導入通路Ｗ１，Ｗ２の横幅を商品の長さに応じて変更する左右一対の幅調整側板１０，１１が、庫内に複数のコラムユニットＵ１，Ｕ２が組付けられたときに形成される各商品投入口１からそれぞれに対応する商品収納コラムＵ１，Ｕ２までの複数種類の総傾斜導入通路長さＬ１〜Ｌ５に対応した長さで複数種類形成されている。
【００３６】
前記両幅調整側板１０，１１のうち、幅調整板７と同じ左側に位置する一方の第１幅調整側板１０は、ガイド底板４Ａ，５Ａの上面に沿って左右方向に摺接移動自在な底板部１０Ａと、これの左右一側縁にガイド側板４Ｂ，５Ｂと略同じ高さで折り曲げ形成された側板部１０Ｂとから構成されているとともに、底板部１０Ａの前端部には、第1 ・第２商品導入ガイド４，５のガイド底板４Ａ，５Ａの前端部に折り曲げ形成された筒軸部４Ｄ，５Ｄに対して筒軸芯周りで上下揺動並びに左右方向に摺動自在で、かつ、脱着自在に嵌合保時される略横向きＵの字状の嵌合部１０Ｃが折り曲げ形成されている。
【００３７】
更に、第１幅調整側板１０の側板部１０Ｂには、幅調整板７の上側部に対して上下方向に相対移動自在に嵌合し、かつ、第１幅調整側板１０の左右方向への移動操作に連動して幅調整板７を通路幅方向に一体的に移動させるための嵌合保持溝１０Ｄを形成する連係板部１０Ｅが折り曲げ形成されているとともに、底板部１０Ａの前後二個所には、下方に向って突出する三角形状の係止突起１０Ｆが打出し形成されている。
【００３８】
また、他方の第２幅調整側板１１は、ガイド底板４Ａ，５Ａの上面に沿って左右方向に摺接移動自在な底板部１１Ａと、これの左右一側縁にガイド側板４Ｂ，５Ｂと略同じ高さで折り曲げ形成された側板部１１Ｂとから構成されているとともに、底板部１１Ａの前端部には、第1 ・第２商品導入ガイド４，５のガイド底板４Ａ，５Ａの前端部に折り曲げ形成された筒軸部４Ｄ，５Ｄに対して筒軸芯周りで上下揺動並びに左右方向に摺動自在で、かつ、脱着自在に嵌合保時される略横向きＵの字状の嵌合部１１Ｃが折り曲げ形成され、更に、底板部１１Ａの前後二個所には、下方に向って突出する三角形状の係止突起１１Ｆが打出し形成されている。
【００３９】
前記各第1 ・第２商品導入ガイド４，５のガイド底板４Ａ，５Ａには、第１幅調整側板１０の係止突起１０Ｆが上下方向から選択的に係脱自在で、かつ、係合状態では第１幅調整側板１０を複数の通路幅変更操作位置で選択的に保持する、換言すれば、幅調整板７を複数の通路幅変更操作位置（当該実施形態では、通路幅が最大となる第１通路幅変更操作位置と、通路幅が中間となる第２通路幅変更操作位置、及び、通路幅が最小となる第３通路幅変更操作位置との三位置）で選択的に保持する複数の第１係止孔４Ｇ，５Ｇと、第２幅調整側板１１の係止突起１１Ｆが上下方向から選択的に係脱自在で、かつ、係合状態では第２幅調整側板１１を複数の通路幅変更操作位置（当該実施形態では、五つの通路幅変更操作位置）で選択的に保持する複数の第２係止孔４Ｈ，５Ｈが形成されている。
【００４０】
前記第２商品導入ガイド５のガイド底板５Ａには、第１幅調整側板１０を左右方向（通路幅方向）に操作するための第１操作用孔５Ｊと、第２幅調整側板１１を左右方向（通路幅方向）に操作するための第２操作用孔５Ｋとが形成されているとともに、第１・第２商品導入ガイド４，５のガイド底板４Ａ，５Ａの左右中央位置には、前後方向に沿う突出代の小さな補強用リブ４Ｌ，５Ｌが打出し形成されている。
【００４１】
また、最前列に位置する幅調整板７の上部には、これを直接通路幅方向に移動操作するための円形の指掛け操作孔１３が形成され、前から二列目以降に位置する各幅調整板７の上部にも、最前列に位置する幅調整板７と同様な円形の指掛け操作孔１３が形成されているとともに、前から二列目以降に位置する各幅調整板７の上部で、かつ、第１幅調整側板１０の嵌合保持溝１０Ｄと嵌合する部位の周辺を含めた側縁部分７a 、及び、指掛け操作孔１３の周縁部分７ｂが夫々折返して厚肉の補強部に構成されている。
【００４２】
そして、図１１に示すように、商品収納コラムＣを前後方向で三列形成してある第２種コラムユニットＵ２を庫内に組付けてなる三連タイプの自動販売機を製作する場合には、第２種コラムユニットＵ２の左右側板２間の上部に、第１商品導入ガイド４と第２商品導入ガイド５とを一個ずつ装着する。
【００４３】
そのため、第２種コラムユニットＵ２の最上段の商品投入口１から投入された商品は、上段側に位置する第２商品導入ガイド５の傾斜導入通路Ｗ２に沿って案内されながら、最前列及び二列目の商品収納コラムＣの上部を通過して三列目の商品収納コラムＢに滑降供給され、また、第２種コラムユニットＵ２の上から二段目の商品投入口１に投入された商品は、下段側に位置する第１商品導入ガイド４の傾斜導入通路Ｗ１に沿って案内されながら、最前列の商品収納コラムＣの上部を通過して二列目の商品収納コラムＣに滑降供給される。
また、第２種コラムユニットＵ２の最下段の商品投入口１から投入された商品は、最前列の商品収納コラムＣに直接供給される。
【００４４】
図１２に示すように、商品収納コラムＣを前後方向で二列形成してある第１種コラムユニットＵ１の二個を庫内に前後方向から組付けてなる四連タイプの自動販売機を製作する場合には、前列側の第１種コラムユニットＵ１の左右側板２間の上部に、二個の第２商品導入ガイド５と一個の第１商品導入ガイド４とを装着するとともに、後列側の第１種コラムユニットＵ１の左右側板２間の上部には、一個の第１商品導入ガイド４を装着する。
【００４５】
そのため、両第１種コラムユニットＵ１が庫内に前後方向から組付けられたとき、前列側の最上段に位置する第２商品導入ガイド５の傾斜導入通路Ｗ２と、後列側に位置する第１商品導入ガイド４の傾斜導入通路Ｗ１とが連続又は略連続するため、前列側の第１種コラムユニットＵ１の最上段の商品投入口１から投入された商品は、最前列から三列目までの商品収納コラムＣの上部を通過して四列目の商品収納コラムＣに滑降供給される。
【００４６】
また、前列側の第１種コラムユニットＵ１の上から二段目の商品投入口１に投入された商品は、中段に位置する第２商品導入ガイド５の傾斜導入通路Ｗ２を通して最前列から三列目の商品収納コラムＣに滑降供給されるとともに、三段目の商品投入口１に投入された商品は、最下段に位置する第１商品導入ガイド４の傾斜導入通路Ｗ１を通して最前列から二列目の商品収納コラムＣに滑降供給され、更に、最下段の商品投入口１から投入された商品は、最前列の商品収納コラムＣに直接供給される。
【００４７】
図１〜図３に示すように、第１種コラムユニットＵ１と第２種コラムユニットＵ２との二個を庫内に前後方向から組付けてなる五連タイプの自動販売機を製作する場合には、前列側の第１種コラムユニットＵ１の左右側板２間の上部に、三個の第２商品導入ガイド５と一個の第１商品導入ガイド４とを装着するとともに、後列側の第２種コラムユニットＵ２の左右側板２間の上部には、一個の第２商品導入ガイド５と一個の第１商品導入ガイド４とを装着する。
【００４８】
そのため、第１種コラムユニットＵ１と第２種コラムユニットＵ２とが庫内に前後方向から組付けられたとき、前列側の最上段に位置する第２商品導入ガイド５の傾斜導入通路Ｗ２と、後列側の上段に位置する第２商品導入ガイド５の傾斜導入通路Ｗ２とが連続又は略連続するため、前列側の第１種コラムユニットＵ１の最上段の商品投入口１から投入された商品は、最前列から四列目までの商品収納コラムＣの上部を通過して五列目の商品収納コラムＣに滑降供給されるとともに、前列側の上から二段目に位置する第２商品導入ガイド５の傾斜導入通路Ｗ２と、後列側の下段に位置する第１商品導入ガイド４の傾斜導入通路Ｗ１とが連続又は略連続するため、前列側の第１種コラムユニットＵ１の上から二段目の商品投入口１に投入された商品は、最前列から三列目までの商品収納コラムＣの上部を通過して四列目の商品収納コラムＣに滑降供給される。
【００４９】
また、前列側の第１種コラムユニットＵ１の上から三段目の商品投入口１に投入された商品は、三段目に位置する第２商品導入ガイド５の傾斜導入通路Ｗ２を通して最前列から三列目の商品収納コラムＣに滑降供給されるとともに、四段目の商品投入口１に投入された商品は、最下段に位置する第１商品導入ガイド４の傾斜導入通路Ｗ１を通して最前列から二列目の商品収納コラムＣに滑降供給され、更に、最下段の商品投入口１から投入された商品は、最前列の商品収納コラムＣに直接供給される。
【００５０】
図１３に示すように、三個の第１種コラムユニットＵ１を庫内に前後方向から組付けてなる六連タイプの自動販売機を製作する場合には、前列側の第１種コラムユニットＵ１の左右側板２間の上部に、四個の第２商品導入ガイド５と一個の第１商品導入ガイド４とを装着するとともに、中央列側の第１種コラムユニットの左右側板２間の上部には、二個の第２商品導入ガイド５と一個の第１商品導入ガイド４とを装着し、更に、後列側の第１種コラムユニットＵ１の左右側板２間の上部には、一個の第１商品導入ガイド４を装着する。
【００５１】
そのため、三個の第１種コラムユニットＵ１が庫内に前後方向から組付けられたとき、前列側の最上段に位置する第２商品導入ガイド５の傾斜導入通路Ｗ２と、中央列側の最上段に位置する第２商品導入ガイド５の傾斜導入通路Ｗ２、及び、後列側に位置する第１商品導入ガイド４の傾斜導入通路Ｗ１とが連続又は略連続するため、前列側の第１種コラムユニットＣの最上段の商品投入口１から投入された商品は、最前列から五列目までの商品収納コラムＣの上部を通過して六列目の商品収納コラムＣに滑降供給される。
【００５２】
また、前列側の上から二段目に位置する第２商品導入ガイド５の傾斜導入通路Ｗ２と、中央列側の上から二段目に位置する第２商品導入ガイド５の傾斜導入通路Ｗ２とが連続又は略連続するため、前列側の第１種コラムユニットＵ１の上から二段目の商品投入口１に投入された商品は、最前列から四列目までの商品収納コラムＣの上部を通過して五列目の商品収納コラムＣに滑降供給される。
【００５３】
更に、前列側の上から三段目に位置する第２商品導入ガイド５の傾斜導入通路Ｗ２と、中央列側の上から三段目に位置する第１商品導入ガイド４の傾斜導入通路Ｗ１とが連続又は略連続するため、前列側の第１種コラムユニットＵ１の上から三段目の商品投入口１に投入された商品は、最前列から三列目までの商品収納コラムＣの上部を通過して四列目の商品収納コラムＣに滑降供給される。
【００５４】
更にまた、前列側の第１種コラムユニットＵ１の上から四段目の商品投入口１に投入された商品は、四段目に位置する第２商品導入ガイド５の傾斜導入通路Ｗ２を通して最前列から三列目の商品収納コラムＣに滑降供給されるとともに、五段目の商品投入口１に投入された商品は、最下段に位置する第１商品導入ガイド４の傾斜導入通路Ｗ１を通して最前列から二列目の商品収納コラムＣに滑降供給され、更に、最下段の商品投入口１から投入された商品は、最前列の商品収納コラムＣに直接供給される。
【００５５】
従って、二種類の商品導入ガイド４，５の組合せをもって、各商品投入口１からそれぞれに対応する商品収納コラムＣまでの長さの異なる複数種類の傾斜導入通路Ｌ１〜Ｌ５を形成することができるから、商品導入ガイド４，５を製作するための金型が少なくて済み、製造コストの低廉化を図ることができる。しかも、二種類の商品導入ガイド４，５を、庫内に形成される前後方向でのコラム総数に基づいた組み合わせで各コラムユニットＵ１，Ｕ２の上部に予め装着することができるから、庫内に組付けられたコラムユニットＵ１，Ｕ２を引出す場合、或いは、引出されたコラムユニットＵ１，Ｕ２を再収納する場合でも、商品導入ガイド４，５を一々脱着する必要がなく、コラムユニットＵ１，Ｕ２の引出作業及び再収納作業を能率良く容易に行なうことができる。
【００５６】
〔その他の実施形態〕
（１）上述の第１実施形態では、庫内に複数のコラムユニットＵ１，Ｕ２が前後方向から組付けられたとき、前後で隣接する両商品導入ガイド４，５のガイド側板の端部同士が重合するように構成したが、前後で隣接する両商品導入ガイドの隣接端部同士を突き合わせるように構成しても良い。
【００５７】
（２）上述の第１実施形態では、両商品導入ガイド４，５のガイド底板４Ａ，５Ａの左右一側縁部に背の高いガイド側板５Ｂを形成し、ガイド底板５Ａの左右他側縁部に背の低い補助ガイド側板５Ｃを形成したが、これら両ガイド側板５Ｂ，５Ｃの高さを同一に統一して形成しても良く、また、ガイド底板４Ａ，５Ａの左右一側縁部にのみガイド側板５Ｂを形成しても良い。
【図面の簡単な説明】
【図１】本願発明による自動販売機の第１実施形態を示す商品収納払出装置全体の断面側面図
【図２】五連タイプの商品収納払出装置を示す全体の断面側面図
【図３】五連タイプの商品収納払出装置の要部の拡大断面側面図
【図４】両商品導入ガイドの取付け構造を示す分解斜視図
【図５】両幅調整側板と第２商品導入ガイドの取付け構造を示す分解斜視図
【図６】幅調整板と第１幅調整側板との連係状態を示す要部の拡大側面図
【図７】第２商品導入ガイドの取付け後の要部の拡大断面平面図
【図８】第２商品導入ガイドの取付け前の要部の拡大断面平面図
【図９】ガイド側板の段押し部が側板の逃がし部に装着されたときの要部の拡大水平断面図
【図１０】ガイド側板の段押し部に前列側のガイド側板の後端部が入り込んだときの要部の拡大水平断面図
【図１１】三連タイプの商品収納払出装置を示す要部の断面側面図
【図１２】四連タイプの商品収納払出装置を示す要部の断面側面図
【図１３】六連タイプの商品収納払出装置を示す要部の断面側面図
【図１４】従来の自動販売機の商品収納払出装置を示す全体の断面側面図
【符号の説明】
Ｃ        商品収納コラム
Ｌ１      総傾斜導入通路長さ
Ｌ２      総傾斜導入通路長さ
Ｌ３      総傾斜導入通路長さ
Ｌ４      総傾斜導入通路長さ
Ｌ５      総傾斜導入通路長さ
Ｓ        収納搬送通路
Ｕ１      第１種コラムユニット
Ｕ２      第２種コラムユニット
Ｗ１      傾斜導入通路
Ｗ２      傾斜導入通路
１        商品投入口
２        側板
４        第１商品導入ガイド
４Ａ      ガイド底板
４Ｂ      ガイド側板
４Ｄ      筒軸部
４Ｆ      段押し部
４Ｇ      第１係止孔
５        第２商品導入ガイド
５Ａ      ガイド底板
５Ｂ      ガイド側板
５Ｄ      筒軸部
５Ｆ      段押し部
５Ｇ      第１係止孔
１０      幅調整側板（第１幅調整側板）
１０Ｃ    嵌合部
【図１】
0004169510.tif 000002
【図２】
0004169510.tif 000003
【図３】
0004169510.tif 000004
【図４】
0004169510.tif 000005
【図５】
0004169510.tif 000006
【図６】
0004169510.tif 000007
【図７】
0004169510.tif 000008
【図８】
0004169510.tif 000009
【図９】
0004169510.tif 000010
【図１０】
0004169510.tif 000011
【図１１】
0004169510.tif 000012
【図１２】
0004169510.tif 000013
【図１３】
0004169510.tif 000014
【図１４】
0004169510.tif 000015